(57)【特許請求の範囲】
【請求項１】
シート・クッションのリア・コーナ側でシート・クッション・フレームの両サイドに突き出されて取り付けられる左右のサイド・ブラケットと、そのシート・クッションのフロントからそれの両サイドに伸長されてそのシート・クッションの裾に巻き付けられ、そして、両端の止め穴をその左右のサイド・ブラケットにはめ合わせてそのシート・クッション・フレームに止められる裾仕舞ガーニッシュと、シート・バックの背裏に組み付けられて下端をその裾仕舞ガーニッシュのその両端に一緒でその左右のサイド・ブラケットに共締めするシート・バック・ガーニッシュとを備える車両シート。
【請求項２】
そのサイド・ブラケットが、ハット形ブラケットである請求項１に記載の車両シート。
【発明の詳細な説明】
【０００１】
【発明の関係する分野】
この発明は、商業車、作業車、建設機械、農業機械などに使用される車両シートに関する。
【０００２】
【背景技術】
通常、この種の車両シートでは、トリム・カバーがパッド上に一体発泡されるシート・クッションが用いられ、そして、そのトリム・カバーは、端末がホグリングでフレームに止められて端末処理されるので、しわがそのシート・クッションの裾に、特に、コーナの裾に生じ易く、そして、見映えが悪くなる傾向にある。
【０００３】
【発明の課題】
この発明の課題は、シート・クッションの裾まわりを簡単に処理可能にして見映えを向上し、そして、その見映えに影響を与えずにその裾まわりを処理する手段の両端を簡単に処理可能にするところの車両シートの提供にある。
【０００４】
【課題に相応する手段およびそれの作用】
この発明は、シート・クッションのリア・コーナ側でシート・クッション・フレームの両サイドに突き出されて取り付けられる左右のサイド・ブラケットと、そのシート・クッションのフロントからそれの両サイドに伸長されてそのシート・クッションの裾に巻き付けられ、そして、両端の止め穴をその左右のサイド・ブラケットにはめ合わせてそのシート・クッション・フレームに止められる裾仕舞ガーニッシュと、シート・バックの背裏に組み付けられて下端をその裾仕舞ガーニッシュのその両端に一緒でその左右のサイド・ブラケットに共締めするシート・バック・ガーニッシュとを備え、そして、その裾仕舞ガーニッシュでそのシート・クッションの裾まわりを覆ってそのシート・バック・ガーニッシュでその裾仕舞ガーニッシュの両端を覆いながらその左右のサイド・ブラケットに共締めする。
【０００５】
【具体例の説明】
以下、特定されて図示された具体例に基づいて、この発明の車両シートを説明するに、図１ないし図８は、作業車のサスペンション型シートに具体化されるこの発明の車両シートの具体例１０を示し、そして、このサスペンション型シート１０では、左右のサイド・ブラケット２１，２１が、シート・クッション１１のリア・コーナ側でシート・クッション・フレーム１５の両サイドに突き出されて溶接され、また、裾仕舞ガーニッシュ２２が、そのシート・クッション１１のフロントからそれの両サイドに伸長されてそのシート・クッション１１の裾に巻き付けられ、そして、両端の止め穴３５，３５をその左右のサイド・ブラケット２１，２１にはめ合わせてそのシート・クッション・フレーム１５に止められ、さらに、シート・バック・ガーニッシュ２３が、シート・バック１２の背裏に組み付けられて下端をその裾仕舞ガーニッシュ２２の両端に一緒でその左右のサイド・ブラケット２１，２１に共締めする。
【０００６】
さらに具体的には、そのサスペンション型シート１０は、シート・トラック２４，２４でフロアに支持されるベース・シート・フレーム１３と、そのシート・クッション・フレーム１５およびシート・バック・フレーム１６で組み立てられ、コイル・スプリング２６，２６およびショック・アブソーバ２７でそのシート・バック・フレーム１６をそのベース・シート・フレーム１３に吊り下げ、そして、リンク・ロッド２５，２５でそのシート・クッション・フレーム１５をそのシート・トラック２４，２４にリンク結合して吊り状態でそのベース・シート・フレーム１３に支持されるメイン・シート・フレーム１４と、トリム・カバー１８を一体発泡してそのシート・クッション・フレーム１５上に支持されるシート・クッション・パッド１７と、トリム・カバー２０を一体発泡してそのシート・バック・フレーム１６上に支持されるシート・バック・パッド１９と、その左右のサイド・ブラケット２１，２１と、その裾仕舞ガーニッシュ２２と、そのシート・バック・ガーニッシュ２３とで構成される。勿論、このサスペンション型シート１０では、そのシート・クッション１１がそのシート・クッション・フレーム１５、シート・クッション・パッド１７、およびトリム・カバー１８で組み立てられ、また、そのシート・バック１２がそのシート・バック・フレーム１６、シート・バック・パッド１９、およびトリム・カバー２０で組み立てられる。
【０００７】
その左右のサイド・ブラケット２１，２１は、鋼板片からプレス加工されて支持面２８にねじ穴２９を開口するハット形ブラケットに作られる。
【０００８】
その裾仕舞ガーニッシュ２２は、構造的には、その両端にその止め穴３５，３５を開口する帯状の細長いガーニッシュ本体３０と、そのガーニッシュ本体３０の裏面３１に互いに間隔を置いて突き出されるフロント・フランジ３２、左右のフロント・コーナ・フランジ３３，３３、および左右のサイド・フランジ３４，３４とで構成され、そして、半硬質塩化ビニールから成形される。
【０００９】
そのシート・バック・ガーニッシュ２３は、硬質塩化ビニールから成形され、そして、そのシート・バック・フレーム１６の裏面に突き出されてそのシート・バック・フレーム１６に溶接されるところの複数のハット形ブラケット（図示せず）にねじ止めされてそのシート・バック１２の背裏に組み付けられる。
【００１０】
したがって、その裾仕舞ガーニッシュ２２は、そのシート・クッション１１のそのフロントおよび両サイドにおいてその裾に巻き付けられ、その両端のその止め穴３５，３５をその左右のサイド・ブラケット２１，２１にはめ合わせ、そして、そのフランジ３２，３３，３３，３４，３４でそのシート・クッション・フレーム１５にねじ止めされてそのシート・クッション１１のその裾まわりを覆う。それから、そのシート・バック・ガーニッシュ２３が、そのシート・バック１２の背裏に組み合わせられてその下端でその裾仕舞ガーニッシュ２２のその両端を覆い、そして、その下端をその裾仕舞ガーニッシュ２２のその両端に一緒でその左右のサイド・ブラケット２１，２１に共締めする。そのように、そのシート・クッション１１のその裾まわりがその裾仕舞ガーニッシュ２２で簡単に処理されて見映えが向上され、そして、その裾仕舞ガーニッシュ２２のその両端がそのシート・バック・ガーニッシュ２３に覆われて簡単に処理される。
【００１１】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明の車両シートは、シート・クッションのリア・コーナ側でシート・クッション・フレームの両サイドに突き出されて取り付けられる左右のサイド・ブラケットと、そのシート・クッションのフロントからそれの両サイドに伸長されてそのシート・クッションの裾に巻き付けられ、そして、両端の止め穴をその左右のサイド・ブラケットにはめ合わせてそのシート・クッション・フレームに止められる裾仕舞ガーニッシュと、シート・バックの背裏に組み付けられて下端をその裾仕舞ガーニッシュのその両端に一緒でその左右のサイド・ブラケットに共締めするシート・バック・ガーニッシュとを備えるので、この発明の車両シートでは、そのシート・クッションの裾まわりが、その裾仕舞ガーニッシュで簡単に処理されて見映えが向上され、その裾仕舞ガーニッシュのその両端が、そのシート・バック・ガーニッシュに覆われてそのシート・バック・ガーニッシュでそのシート・クッション・フレームに共締めされてその裾仕舞ガーニッシュのその両端が、その見映えに影響を与えずに簡単に処理可能になり、その結果、商業車、作業車、建設機械、および農業機械などにとって非常に有用で実用的である。
【図面の簡単な説明】
【図１】作業車のサスペンション型シートに具体化されるこの発明の車両シートの具体例を示した斜視図である。
【図２】そのサスペンション型シートのベース・シート・フレームおよびメイン・シート・フレームを組み合わせて示した斜視図である。
【図３】そのベース・シート・フレームおよびメイン・シート・フレームを互いに分離し、そして、コイル・スプリング、ショック・アブソーバ、およびリンク・ロッドなどを省いて示した斜視図である。
【図４】図１の４−４線に沿って示した断面図である。
【図５】裾仕舞ガーニッシュを長さ方向の中間で破断して示した正面図である。
【図６】その裾仕舞ガーニッシュを示した平面図である。
【図７】図６の７ａ−７ａ線、７ｂ−７ｂ線、および７ｃ−７ｃ線に沿って示した拡大断面図である。
【図８】そのサスペンション型シートの一部分を分解して示した部分分解斜視図である。
【符号の説明】
１１    シート・クッション
１２    シート・バック
１３    ベース・シート・フレーム
１４    メイン・シート・フレーム
１５    シート・クッション・フレーム
１６    シート・バック・フレーム
１７    シート・クッション・パッド
１８    トリム・カバー
２１    サイド・ブラケット
２２    裾仕舞ガーニッシュ
２３    シート・バック・ガーニッシュ
３５    止め穴
【図１】
0003631345.tif 000002
【図２】
0003631345.tif 000003
【図３】
0003631345.tif 000004
【図４】
0003631345.tif 000005
【図５】
0003631345.tif 000006
【図６】
0003631345.tif 000007
【図７】
0003631345.tif 000008
【図８】
0003631345.tif 000009